【事件の表示】
　特願２００２−３５６９８５「インクジェットプリンタ、インクジェットプリンタの製造方法」拒絶査定不服審判事件〔平成１６年　７月　８日出願公開、特開２００４−１８８６６４〕について、次のとおり審決する。
【結　論】
　本件審判の請求は、成り立たない。
【理　由】
第１．手続の経緯
　本願は、平成１４年１２月９日の出願であって、平成１８年５月１０日付けで通知された拒絶理由に対して、同年７月１４日付けで手続補正書が提出されが、同年９月２８日付けで拒絶査定がなされたものであって、これに対して、同年１１月２日付けで審判請求がなされるとともに、同年１２月４日付けで手続補正がなされ、その後、平成２０年６月１６日付けで、当審の審尋に対する回答書が提出されたものである。
　
第２．平成１８年１２月４日付けの手続補正についての補正の却下の決定
　
［補正却下の決定の結論］
　平成１８年１２月４日付けの手続補正を却下する。
　
［理由］
１．補正後の本願発明
　平成１８年１２月４日付けの手続補正（以下、「本件補正」という。）は、平成１８年７月１４日付けの手続補正により補正された特許請求の範囲を以下のように補正しようとする補正事項を含む。
　
（補正前）
「【請求項１】
　インクを貯蔵したインクタンクと、上記インクタンクから上記インクを印字ヘッドに供給するインク供給チューブとを備えたインクジェットプリンタにおいて、
　上記インク供給チューブに、インク中を流れる気泡を捕獲する気泡捕獲部が備えられており、
　上記気泡捕獲部は、下流側への流出口よりも上方にスペースを有しており、インク中を流れる気泡を、上記流出口に達するまでに上記スペースに浮遊させて捕獲し、
　重力加速度をｇ（ｍ/ｓ２）、気泡の直径をｄ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・ｄ２／ν≧（Ｌｙ／Ｌｘ）・（Ｑ／ＳＴ）
を満たすことを特徴とするインクジェットプリンタ。
【請求項２】
　上記スペースの最上部のインク流底部からの高さをＬｈ（ｍ）としたときに、
　（1／１８）・ｇ・ｄ２／ν≧（Ｌｈ／Ｌｘ）・（Ｑ／ＳＴ）
を満たすことを特徴とする請求項１に記載のインクジェットプリンタ。
【請求項３】
　上記インクタンクの上記インク供給チューブへのインク供給口にフィルタを備え、
　重力加速度をｇ（ｍ/ｓ２）、上記フィルタの開孔寸法をＣ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・Ｃ２／ν≧（Ｌｙ／Ｌｘ）・（Ｑ／ＳＴ）
を満たすことを特徴とする請求項１に記載のインクジェットプリンタ。
【請求項４】
　上記スペースの最上部のインク流底部からの高さをＬｈ（ｍ）としたときに、
　（1／１８）・ｇ・Ｃ２／ν≧（Ｌｈ／Ｌｘ）・（Ｑ／ＳＴ）
を満たすことを特徴とする請求項３に記載のインクジェットプリンタ。
【請求項５】
　上記インクタンクの上記インク供給チューブへのインク供給口にメッシュフィルタを備え、
　重力加速度をｇ（ｍ/ｓ２）、上記メッシュフィルタの濾過精度をＭ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・（２１／２・Ｍ）２／ν≧（Ｌｙ／Ｌｘ）・（Ｑ／ＳＴ）
を満たすことを特徴とする請求項１に記載のインクジェットプリンタ。
【請求項６】
　上記スペースの最上部のインク流底部からの高さをＬｈ（ｍ）としたときに、
　（1／１８）・ｇ・（２１／２・Ｍ）２／ν≧（Ｌｈ／Ｌｘ）・（Ｑ／ＳＴ）
を満たすことを特徴とする請求項５に記載のインクジェットプリンタ。
【請求項７】
　上記インクタンクと上記気泡捕獲部との間に流路の開閉を行うバルブを備えていることを特徴とする請求項１ないし６のいずれかに記載のインクジェットプリンタ。
【請求項８】
　インクを貯蔵したインクタンクと、上記インクタンクから上記インクを印字ヘッドに供給するインク供給チューブとを備えたインクジェットプリンタの設計方法であって、
　上記インク供給チューブに、インク中を流れる気泡を捕獲する気泡捕獲部が備えられており、上記気泡捕獲部は、下流側への流出口よりも上方にスペースを有しており、インク中を流れる気泡を、上記流出口に達するまでに上記スペースに浮遊させて捕獲するものであり、
　重力加速度をｇ（ｍ/ｓ２）、気泡の直径をｄ（ｍ）、インクの動粘性をν（ｍ２/ｓ）
、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・ｄ２／ν≧（Ｌｙ／Ｌｘ）・（Ｑ／ＳＴ）
を満たすように、上記ｄ、ν、Ｌｘ、Ｌｙ、Ｑ、ＳＴを設定することを特徴とするインクジェットプリンタの製造方法。
【請求項９】
　上記スペースの最上部のインク流底部からの高さをＬｈ（ｍ）としたときに、
　（1／１８）・ｇ・ｄ２／ν≧（Ｌｈ／Ｌｘ）・（Ｑ／ＳＴ）
を満たすように、上記Ｌｈを設定することを特徴とする請求項８に記載のインクジェットプリンタの製造方法。
【請求項１０】
　上記インクタンクの上記インク供給チューブへのインク供給口にフィルタが備えられており、
　重力加速度をｇ（ｍ/ｓ２）、上記フィルタの開孔寸法をＣ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・Ｃ２／ν≧（Ｌｙ／Ｌｘ）・（Ｑ／ＳＴ）
を満たすように、上記Ｃ、ν、Ｌｙ、Ｑ、ＳＴを設定することを特徴とする請求項８に記載のインクジェットプリンタの製造方法。
【請求項１１】
　上記スペースの最上部のインク流底部からの高さをＬｈ（ｍ）としたときに、
　（1／１８）・ｇ・Ｃ２／ν≧（Ｌｈ／Ｌｘ）・（Ｑ／ＳＴ）
を満たすように、上記Ｌｈを設定することを特徴とする請求項１０に記載のインクジェットプリンタの製造方法。
【請求項１２】
　上記インクタンクの上記インク供給チューブへのインク供給口にメッシュフィルタが備えられており、
　重力加速度をｇ（ｍ/ｓ２）、上記メッシュフィルタの濾過精度をＭ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・（２１／２・Ｍ）２／ν≧（Ｌｙ／Ｌｘ）・（Ｑ／ＳＴ）
を満たすように、上記Ｍ、ν、Ｌｘ、Ｌｙ、Ｑ、ＳＴを設定することを特徴とする請求項８に記載のインクジェットプリンタの製造方法。
　　【請求項１３】
　上記スペースの最上部のインク流底部からの高さをＬｈ（ｍ）としたときに、
　（1／１８）・ｇ・（２１／２・Ｍ）２／ν≧（Ｌｈ／Ｌｘ）・（Ｑ／ＳＴ）
を満たすように、上記Ｌｈを設定することを特徴とする請求項１２に記載のインクジェットプリンタの製造方法。」
　
（補正後）
「【請求項１】
　インクを貯蔵したインクタンクと、上記インクタンクに装着され、上記インクタンクから上記インクを印字ヘッドに供給するインク供給チューブとを備えたインクジェットプリンタにおいて、
　上記インク供給チューブに、インク中を流れる気泡を捕獲する気泡捕獲部が備えられており、
　上記インクタンクの上記インク供給チューブへのインク供給口にフィルタを備え、
　上記気泡捕獲部は、下流側への流出口よりも上方にスペースを有しており、インク中を流れる気泡を、上記流出口に達するまでに上記スペースに浮遊させて捕獲し、
　重力加速度をｇ（ｍ/ｓ２）、上記フィルタの開孔寸法をＣ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・Ｃ２／ν≧（Ｌｙ／Ｌｘ）・（Ｑ／ＳＴ）
を満たすことを特徴とするインクジェットプリンタ。
【請求項２】
　上記スペースの最上部のインク流底部からの高さをＬｈ（ｍ）としたときに、
　（1／１８）・ｇ・Ｃ２／ν≧（Ｌｈ／Ｌｘ）・（Ｑ／ＳＴ）
を満たすことを特徴とする請求項１に記載のインクジェットプリンタ。
【請求項３】
　インクを貯蔵したインクタンクと、上記インクタンクに装着され、上記インクタンクから上記インクを印字ヘッドに供給するインク供給チューブとを備えたインクジェットプリンタにおいて、
　上記インク供給チューブに、インク中を流れる気泡を捕獲する気泡捕獲部が備えられており、
　上記インクタンクの上記インク供給チューブへのインク供給口にメッシュフィルタを備え、
　重力加速度をｇ（ｍ/ｓ２）、上記メッシュフィルタの濾過精度をＭ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・（２１／２・Ｍ）２／ν≧（Ｌｙ／Ｌｘ）・（Ｑ／ＳＴ）
を満たすことを特徴とするインクジェットプリンタ。
【請求項４】
　上記スペースの最上部のインク流底部からの高さをＬｈ（ｍ）としたときに、
　（1／１８）・ｇ・（２１／２・Ｍ）２／ν≧（Ｌｈ／Ｌｘ）・（Ｑ／ＳＴ）
を満たすことを特徴とする請求項３に記載のインクジェットプリンタ。
【請求項５】
　上記インクタンクと上記気泡捕獲部との間に流路の開閉を行うバルブを備えていることを特徴とする請求項１ないし４のいずれかに記載のインクジェットプリンタ。
【請求項６】
　インクを貯蔵したインクタンクと、上記インクタンクに装着され、上記インクタンクから上記インクを印字ヘッドに供給するインク供給チューブとを備えたインクジェットプリンタの設計方法であって、
　上記インク供給チューブに、インク中を流れる気泡を捕獲する気泡捕獲部が備えられており、上記気泡捕獲部は、下流側への流出口よりも上方にスペースを有しており、インク中を流れる気泡を、上記流出口に達するまでに上記スペースに浮遊させて捕獲するものであり、
　上記インクタンクの上記インク供給チューブへのインク供給口にフィルタが備えられており、
　重力加速度をｇ（ｍ/ｓ２）、上記フィルタの開孔寸法をＣ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積を
ＳＴ（ｍ２）としたときに、
　（1／１８）・ｇ・Ｃ２／ν≧（Ｌｙ／Ｌｘ）・（Ｑ／ＳＴ）
を満たすように、上記Ｃ、ν、Ｌｙ、Ｑ、ＳＴを設定することを特徴とするインクジェットプリンタの製造方法。
【請求項７】
　上記スペースの最上部のインク流底部からの高さをＬｈ（ｍ）としたときに、
　（1／１８）・ｇ・Ｃ２／ν≧（Ｌｈ／Ｌｘ）・（Ｑ／ＳＴ）
を満たすように、上記Ｌｈを設定することを特徴とする請求項６に記載のインクジェットプリンタの製造方法。
【請求項８】
　インクを貯蔵したインクタンクと、上記インクタンクに装着され、上記インクタンクから上記インクを印字ヘッドに供給するインク供給チューブとを備えたインクジェットプリンタの設計方法であって、
　上記インク供給チューブに、インク中を流れる気泡を捕獲する気泡捕獲部が備えられており、上記気泡捕獲部は、下流側への流出口よりも上方にスペースを有しており、インク中を流れる気泡を、上記流出口に達するまでに上記スペースに浮遊させて捕獲するものであり、
　上記インクタンクの上記インク供給チューブへのインク供給口にメッシュフィルタが備えられており、
　重力加速度をｇ（ｍ/ｓ２）、上記メッシュフィルタの濾過精度をＭ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、
　（1／１８）・ｇ・（２１／２・Ｍ）２／ν≧（Ｌｙ／Ｌｘ）・（Ｑ／ＳＴ）
を満たすように、上記Ｍ、ν、Ｌｘ、Ｌｙ、Ｑ、ＳＴを設定することを特徴とする請求項６に記載のインクジェットプリンタの製造方法。
【請求項９】
　上記スペースの最上部のインク流底部からの高さをＬｈ（ｍ）としたときに、
　（1／１８）・ｇ・（２１／２・Ｍ）２／ν≧（Ｌｈ／Ｌｘ）・（Ｑ／ＳＴ）
を満たすように、上記Ｌｈを設定することを特徴とする請求項８に記載のインクジェットプリンタの製造方法。」
　
　上記補正は、実質的に、補正前の請求項１，２，８，９を削除し、残る補正前の請求項３，４，５，６，７，１０，１１，１２，１３をそれぞれ補正後の請求項１，２，３，４，５，６，７，８，９とし、補正前の各請求項に記載された発明を特定するために必要な事項である「インク供給チューブ」を、さらに、「インクタンクに装着され」と限定するものであり、平成１８年法律第５５号改正附則第３条第１項によりなお従前の例によるとされる同法による改正前の特許法第１７条の２第４項第１号及び第２号の請求項の削除及び特許請求の範囲の減縮を目的とするものに該当する。
　そこで、本件補正後の前記請求項１に記載された発明（以下、「本願補正発明１」という。）が特許出願の際に独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
　
２．引用刊行物の記載事項
（１）刊行物１
　原査定の拒絶の理由に引用された、本願出願前に頒布された特開平３−２０５１５７号公報（原査定の引用文献１。以下、「刊行物１」という。）には、図面とともに次の事項が記載されている。下線は当審で付与した。
　
（１ａ）「３．発明の詳細な説明
〔概　要〕
　
インクジェットヘッドとインクタンクとの間に設けられ、インクジェットヘッドに流入するインクの圧力変動を吸収するインクジェットプリンタの圧力ダンパ
　簡単な構造で信頼性の高いインク供給系を実現することを目的とし、
　インクジェットヘッドとインクタンクとの間に設けられ、インクジェットヘッドに流入するインクの圧力変動を吸収するインクジェットプリンタの圧力ダンパに於いて、板状の圧力ダンパ本体の一方の面には、インク流入路と上部の気泡排出路に連通した凹状の圧力吸収部を、他方の面にはインク流出路に連通した凹状の圧力吸収部を備えると共に、この両圧力吸収部を連通ずる連通孔を設け、連通孔はメッシュフィルタで塞ぐと共に、圧力ダンパ本体の両面には圧力吸収部を密閉するように可撓性フィルム１３及び１４を貼着して構成する。」（１頁右下欄１行〜１９行）
　
（１ｂ）「〔従来の技術〕
　第３図の斜視図に示すように、本発明が適用される
インクジェットプリンタ
　図に於いて、４は真空脱泡した
液体インクを貯溜するインクタンク
インクタンク４からインクをインクジェットヘッド１に供給するインク供給チューブ
　このインクジェットヘッド１は、第４図の側面図に示す如く、インク滴が噴射される複数個のノズル７と、各ノズル７にインクを供給するためのインク通路７ａと、各インク通路７ａにインクを供給するための共通インク室７ｂを備えている。
　従って記録媒体３に対する記録は、複数のノズル７の内の所望のノズルを選択し、電歪振動子８等の振動でヘッド内の圧力室７ｃに急激な圧力変化を与えてインクを滴状に噴出させて行う。
　斯かる構成であるので、インクジェットヘッド１の走査運動中や反転運動中にインクジェットヘッド１内のインクや第３図に示すインク供給チューブ５内のインクに加速度が加わってインクの供給圧力に変動が起こり、インクジェットヘッド１の安定したインク噴射が妨げられると言う問題がある。
　即ち、インクジェットヘッド１の圧力室７ｃのインクを電歪振動子８で加圧させる場合に、圧力が気泡に吸収されてしまい、ノズル７からインクが噴射されなくなると言う現象を生じる。
　そこで、この解決の為に
インクの供給路の途中に第５図の説明図に示す如く圧力ダンパ９を設けている
　この圧力ダンパ９としては、第６図の側面図及び第７図のＣ−Ｃ断面図に示すものがある。
　即ち、例えばポリエチレン製の板状の圧力ダンパ本体１０の両面に溝部や穴部を形成し、その両面に可撓性フィルム１３及び１４を貼着して、溝部をインクの通路とし、穴部を圧力吸収部として形成したものである。
　圧力ダンパ本体１０の両面１０ａ及び１０ｂの略中央には、圧力吸収部１１を円形に凹設すると共に、この両圧力吸収部１１を連通ずる連通孔１２を設けている。
　そして
圧力ダンパ本体１０の上端にはインク供給チューブ５に差し込まれるインク流入プラグ１５を形成し、このインク流入プラグ１５に連通するように、圧力ダンパ本体１０の一方の面１０ａにはインク流入路１７を溝状に形成して圧力吸収部１１の下部に連通させている
　又、同様にこの面には、
圧力吸収部１１の下部とインク流出プラグ１８とを連通するインク流出路１９を溝状に形成
　そして、インクの圧力変動は、圧力吸収部１１の両側に設けられた可撓性フィルム１３及び１４の振動に変えて吸収するようにしている。
　斯かる圧力ダンパ９を備えたインクジェットプリンタに於いて、初期（インクが空の状態）のインク充填は、インクジェットヘッド１のノズル７から吸引に依って行われるが、この時、気泡が混入し易く、
第５図
圧力ダンパ９の前段に、メッシュフィルタ２０を設け
　
〔発明が解決しようとする課題〕
　斯くの如く、この
圧力ダンパ９の前段にメッシュフィルタ２０を別個に設けている
　又、
メッシュフィルタ２０で捕獲されなかった微細な気泡２１は、圧力ダンパ９の圧力吸収部１１の中に入り込んでその上部に溜まり
　
（１ｃ）上記（１ｂ）で参照する第５図は、以下のとおり。
　
　
（１ｄ）「４．図面の簡単な説明
（略）
第５図は従来の圧力ダンパを備えたインクジェットプリンタの説明図
第６図は従来の圧力ダンパの側面図
（略）
図に於いて、
１はインクジェットヘッド、
４はインクタンク、　　　５はインク供給チューブ、
６はキャリッジ、　　　　７はノズル、
７ａはインク通路、　　　７ｂは共通インク室、
７ｃは圧力室、　　　　　８は電歪振動子、
９、２２は圧力ダンパ、　１０、２３は圧力ダンパ本体、
１１、２６ａ、２６ｂは圧力吸収部、
１２、２８が連通孔、　　１３，１４は可撓性フイルム、
１５はインク流入プラグ、１７、２４はインク流入路、
１８はインク流出プラグ、１９、２７はインク流出路、
２０、２９はメッシュフィルタ、
２１は気泡、　　　　　　２５は気泡排出路、
３０は流入プラグ、　　　３１は気泡排出チューブ、
３２は排出プラグ、　　　３３はインク流出チューブ、
３４は流出プラグ、　　　３５はダミーノズル、
３６はパージ機構である。」
　
（１ｅ）上記（１ｂ）で参照する第５図より、圧力ダンパは、下流側への流出口よりも上方にスペースを有しており、インク中を流れる気泡を、該流出口に達するまでに該スペースに浮遊させて捕獲していることは明らかである。
　さらに、圧力ダンパは、インク供給チューブ５の間に設けられていることも明らかである。
　
　上記（１ａ）〜（１ｅ）の摘記事項等を総合して勘案すると、刊行物１には次の発明（以下、「刊行物１記載の発明」という。）が記載されているものと認められる。
　
「液体インクを貯留するインクタンクと、該インクタンクに装着され、該インクタンクから該インクをインクジェットヘッドに供給するインク供給チューブとを備えたインクジェットプリンタにおいて、
　該インクの供給路の途中のインク供給チューブの間に、インクの圧力変動を吸収し、また、メッシュフィルタで捕獲されなかった微細な気泡が上部に溜まる圧力ダンパが備えられており、
　該圧力ダンパの前段にメッシュフィルタを備え、、
　該圧力ダンパは、下流側への流出口よりも上方にスペースを有しており、インク中を流れる気泡を、該流出口に達するまでに該スペースに浮遊させて捕獲するインクジェットプリンタ。」
　
　
３．対比・判断
　そこで、本願補正発明１と刊行物１記載の発明とを対比すると、
　刊行物１記載の発明の「液体インクを貯留するインクタンク」、「インクジェットヘッド」、「メッシュフィルタ」は、それぞれ、本願補正発明１の「インクを貯蔵したインクタンク」、「印字ヘッド」、「フィルタ」に相当する。
　そして、刊行物１記載の発明の「圧力ダンパ」は、気泡が上部に溜まることから、インク中に流れる気泡の捕獲も行っており、本願補正発明１の「気泡捕獲部」に相当する。
　また、刊行物１記載の発明と本願補正発明１は、「フィルタ（メッシュフィルタ）」が、インクタンクと「気泡捕獲部（圧力ダンパ）」の間に備えられている点で共通する。
　さらに、刊行物１記載の発明の、「インクの供給路の途中のインク供給チューブ間に」は、本願補正発明１の「インク供給チューブに」に相当する。
　
　したがって、両者は、
「インクを貯蔵したインクタンクと、上記インクタンクに装着され、上記インクタンクから上記インクを印字ヘッドに供給するインク供給チューブとを備えたインクジェットプリンタにおいて、
　該インク供給チューブに、インク中を流れる気泡を捕獲する気泡捕獲部が備えられており、
　上記インクタンクと気泡捕獲部の間にフィルタを備え、
　上記気泡捕獲部は、下流側への流出口よりも上方にスペースを有しており、インク中を流れる気泡を、上記流出口に達するまでに上記スペースに浮遊させて捕獲するインクジェットプリンタ。」
　である点で一致し、以下の点で一応相違する。
　
（１）相違点
（１ａ）相違点１
　本願補正発明１は、インクタンクのインク供給口にフィルタを備えるのに対して、刊行物１記載の発明は、圧力ダンパ（気泡捕獲部）の前段のインク供給チューブ後端にフィルタを備える点。
　
（１ｃ）相違点２
　本願補正発明１は、重力加速度をｇ（ｍ/ｓ２）、上記フィルタの開孔寸法をＣ（ｍ）、インクの動粘性をν（ｍ２/ｓ）、上記気泡捕獲部の流路長をＬｘ（ｍ）、上記流出口のインク流底部からの高さをＬｙ（ｍ）、インク平均流量をＱ（ｍ３/ｓ）、上記気泡捕獲部の流路断面積をＳＴ（ｍ２）としたときに、（1／１８）・ｇ・Ｃ２／ν≧（Ｌｙ／Ｌｘ）・（Ｑ／ＳＴ）を満たすと規定しているのに対して、刊行物１記載の発明は、特にそのような条件式を設けていない点。
　
（２）相違点についての判断
　上記相違点について検討する。
（２ａ）相違点１について
　本願の発明の詳細な説明の段落【００２２】に、フィルタにより気泡を寸断することが記載されている。
　してみれば、本願の目的である気泡の確実な捕獲のためには、フィルタを気泡捕獲部の前に設置すれば良く、気泡捕獲部の前であれば、どこに設けるかは当業者が必要に応じて適宜選択すべき事項に過ぎない。
　一方、インクタンクのインク供給口にフィルタを備えることは、特開２００１−１６２８１７号公報及び特開平１０−１７５３１５号公報等にあるように周知の技術である。
　よって、刊行物１記載の発明のフィルタに代えて、本願の目的を阻害しない範囲で、上記周知の技術を採用することは、当業者なら容易に想到しうるものである。
　
（２ｂ）相違点２について
　刊行物１記載の発明は、圧力ダンパによりフィルタを通り抜けた微細な気泡が捕獲されるものである。そして、刊行物１記載の発明は、図５から、気泡捕獲部（圧力ダンパ）を、流出口のインク流底部からの高さに比較して、充分に大きくすることにより、気泡を捕獲していることは明らかである。したがって、刊行物１記載の発明に於いても実質的に、本願補正発明１に於けると同様、（1／１８）・ｇ・Ｃ２／ν≧（Ｌｙ／Ｌｘ）・（Ｑ／ＳＴ）という条件を満たしているものと認められる。
　そして、該条件式の臨界である（1／１８）・ｇ・Ｃ２／ν＝（Ｌｙ／Ｌｘ）・（Ｑ／ＳＴ）について考察すると、Ｑが、インク平均流量であることから、インクの最大流量の場合、この臨界的条件では、気泡が気泡捕獲部で捕獲されず、流出口まで到達してしまうことは明らかである。また、気泡上昇速度を、気泡の浮力と気泡に作用する抗力とがつりあったときの最終速度を元に計算されているが、気泡がフィルタを抜けて、気泡上昇速度が最終速度になるまでに時間を要することから、臨界あたりでは、気泡が気泡捕獲部で捕獲されず、流出口まで到達してしまうことは明らかである。
　してみれば、（1／１８）・ｇ・Ｃ２／ν≧（Ｌｙ／Ｌｘ）・（Ｑ／ＳＴ）との条件には、特段の臨界的な意味がなく、気泡捕獲部を、流出口のインク流底部からの高さに比較して、充分に大きくすることにより、気泡を捕獲するという刊行物１記載の構成を、条件式として適宜設定した程度の設計的事項に過ぎない。
　
（３）効果について
　そして、全体として、本願補正発明１によってもたらされる効果は、刊行物１記載の発明から、当業者なら予測しうる程度のことであって、格別なものではない。
　
（４）まとめ
　よって、本願補正発明１は、刊行物１記載の発明及び周知技術に基づいて当業者が容易に発明をすることができたものであるから、本願補正発明１は、特許法第２９条第２項の規定により、特許出願の際独立して特許を受けることができない。
　
４．むすび
　したがって、本件補正は、特許法第１７条の２第５項の規定に違反するか、または、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
１．本願の請求項３に係る発明
　平成１８年１２月４日付けの手続補正は上記のとおり却下されたので、本願の請求項１〜９に係る発明は、平成１８年７月１４日付けの手続補正書により補正された特許請求の範囲の請求項１〜１３に記載された事項により特定されるとおりのものと認められるところ、その請求項３に係る発明（以下、「本願発明３」という。）は、上記「第２．１．（補正前）」のとおりのものである。
　
２．引用刊行物の記載事項
（１）刊行物１
　原査定の拒絶の理由に引用された、本願出願前に頒布された特開平３−２０５１５７号公報（以下、「刊行物１」という。）の記載事項は、前記「第２．２．」に記載したとおりである。
　
３．対比・判断
　本願発明３は、前記「第２．１．」で検討した本願補正発明１の「上記インクタンクに装着され、上記インクタンクから上記インクを印字ヘッドの供給するインク供給チューブ」から「インクタンクに装着され」という限定事項を省いたものである。
　そうすると、本願発明３の構成要件を全て含み、さらに他の構成要件を付加したものに相当する本願補正発明１が、前記「第２．３．」に記載したとおり、刊行物１記載の発明及び周知技術に基づいて当業者が容易に発明をすることができたものであるから、本願発明３も、同様の理由により、刊行物１記載の発明及び周知技術に基づいて当業者が容易に発明をすることができたものである。
　
４．むすび
　以上のとおりであるから、本願の請求項３に係る発明は、特許法第２９条第２号の規定により特許を受けることができないものであるので、他の請求項について検討するまでもなく、本願は拒絶すべきものである。
　よって、結論のとおり審決する。